(57)【特許請求の範囲】
【請求項１】
座、背凭れ及び左右の肘掛を備えてなり前方に向けて開放された椅子本体と、この椅子本体に支持され前記肘掛の上方に位置する第１の使用位置から前記肘掛の上方を開放して椅子本体の前方に位置する第２の使用位置の間で移動可能であり、前記左右の肘掛に関連させて左右対をなして設けられた天板とを具備してなる椅子であって、
前記椅子本体が、左右の肘掛と背凭れとによって前方に開放された部分筒状をなす構造体を形成したものであり、前記天板がこの構造体の上縁に沿って水平にスライド移動し得るように構成されたものであることを特徴とする椅子。
【請求項２】
前記左右の天板が前記第２の使用位置において相互に突き合い前記椅子本体の前方を閉塞するように構成されている請求項１記載の椅子。
【請求項３】
前記天板が、前記座の下面に基端部を枢着された天板支持アームの先端に取り付けられたものである請求項１又は２記載の椅子。
【請求項４】
椅子本体の上縁部の形状に沿って延びるレールを有し、このレールに沿って天板が移動可能である請求項１又は２記載の椅子。
【請求項５】
前記レールと前記天板との間に肘掛を配している請求項４記載の椅子。
【請求項６】
前記レールと、前記天板と、これらレールと天板とを接続し前記レールに沿って走行可能なスライドアームとを備える天板走行ユニットを、椅子本体の肘掛下方の側面に設けた開口部に側方から挿入することにより取り付け可能である請求項４又は５記載の椅子。
【請求項７】
前記スライドアームが、前記レールに摺接する走行部と、この走行部と前記天板とを接続するアーム部とを有し、前記レールの前面に前記レールと前記走行部との係合箇所を被覆する下カバー、前記レールの上部に前記レールと前記走行部との係合箇所を被覆する上カバーをそれぞれ取り付けてなる請求項６記載の椅子。
【発明の詳細な説明】
【技術分野】
【０００１】
本発明は、メモ台等として使用可能な天板を備えた椅子に関する。
【背景技術】
【０００２】
従来、会議等の際に、テーブルを配置することなく多数の椅子を配置可能にしつつ、着座者が筆記を行う際やパーソナルコンピュータに代表される情報機器を使用する際等の便宜を図るべく、メモ台等として使用可能な天板を備えた椅子を用いることが広く知られている。このような椅子の一例として、脚と、脚に対して回動自在に支持される座と、これら脚及び座に対して回動自在であり天板を取り付けて使用可能なアームとを備えたものが考えられている（例えば、特許文献１を参照）。
【０００３】
ところで、前記特許文献１記載のものは、天板を取り付けた状態のアームを脚及び座に対して回転させることによって着座者に対する天板の位置を変更可能であるとともに、天板を取り外した状態のアームを脚及び座に対して回転移動させ着座者の後方に位置させることにより前記アームを背凭れとして使用可能であるとともに、前記アームを着座者の側方に位置させることにより前記アームを肘掛として使用可能である。そして、前記アームを着座者の前方又は側方に位置させ、該アームに天板を取り付けることにより、天板をメモ台等として使用可能である。ところが、前記特許文献１記載のものは、前記対をなすアームの双方を着座者の後方に位置させた場合には、該アームの肘掛としての使用、及び該アームに天板を取り付けることにより該天板をメモ台等として使用することが不可能であり、前記対をなすアームの双方を着座者の側方又は前方に位置させた場合には、背凭れとしての使用が不可能である。また、前記対をなすアームの一方を着座者の後方、他方を着座者の側方又は前方に位置させた場合には、背凭れとしての機能が不十分であると着座者に感じられるおそれがある。
【０００４】
そこで、背凭れ、肘掛及び天板を備えた椅子において、背凭れ全体及び肘掛の機能を常時使用可能にしつつ、種々の着座姿勢、換言すれば正面を向いた着座姿勢や側方を向いた着座姿勢等において天板を使用可能にする要望が存在する。
【先行技術文献】
【特許文献】
【０００５】
【特許文献１】特開昭６３−２０６２１０号公報
【発明の概要】
【発明が解決しようとする課題】
【０００６】
本発明は以上の点に着目し、座、背凭れ、肘掛及び天板を備え、背凭れ全体及び肘掛の機能を常時使用可能な椅子において、種々の着座姿勢において天板を使用可能にすることを目的とする。
【課題を解決するための手段】
【０００７】
座、背凭れ及び左右の肘掛を備えてなり前方に向けて開放された椅子本体と、この椅子本体に支持され前記肘掛の上方に位置する第１の使用位置から前記肘掛の上方を開放して椅子本体の前方に位置する第２の使用位置の間で移動可能であり、前記左右の肘掛に関連させて左右対をなして設けられた天板とを具備してなる椅子であって、前記椅子本体が、左右の肘掛と背凭れとによって前方に開放された部分筒状をなす構造体を形成したものであり、前記天板がこの構造体の上縁に沿って水平にスライド移動し得るように構成されたものであることを特徴とする。
【０００８】
このようなものであれば、天板を第１の使用位置に配した場合には、着座者が側方を向く着座姿勢でこの天板をメモ台等として使用できるとともに、この天板が肘掛の上方に位置しているので、この天板を着座者の肘を載せることができる肘掛として機能させることもできる。一方、天板を第２の使用位置に配した場合には、着座者が前方を向く着座姿勢でこの天板をメモ台等として使用できるとともに、肘掛の上方が開放されているので、この肘掛に着座者の肘を載せることができる。その上で、天板が第１の使用位置から第２の使用位置の間のどの位置に配しても着座者は背凭れを利用することができる。
【０００９】
また、前記椅子本体が左右の肘掛を備えたものであり、前記左右の肘掛に関連させて左右対をなす前記天板を設けたものであるので、より多様な使用態様に対応可能である。ここで、「左右の肘掛に関連させて左右対をなす天板を設ける」とは、第１の使用位置に配した左側の天板が左側の肘掛の上方に位置し、第１の使用位置に配した右側の天板が右側の肘掛の上方に位置することを示す概念である。
【００１０】
加えて、前記椅子本体が、左右の肘掛と背凭れとによって前方に開放された部分筒状をなす構造体を形成したものであり、前記天板がこの構造体の上縁に沿って水平にスライド移動し得るように構成されたものであるので、このような椅子の外観を整えることもできる。
【００１１】
前段で述べたような椅子において、より大きな天板面を利用可能にするための態様として、前記左右の天板が前記第２の使用位置において相互に突き合い前記椅子本体の前方を閉塞するように構成されているものが挙げられる。
【００１２】
このような椅子の天板を簡単な構成で椅子本体に移動可能に支持させるための態様として、前記天板が、前記座の下面に基端部を枢着された天板支持アームの先端に取り付けられたものが挙げられる。
【００１３】
また、このような椅子の天板を簡単な構成で椅子本体に移動可能に支持させるようにするとともに、このような椅子の組立の容易化を図るための態様として、椅子本体の上縁部の形状に沿って延びるレールを有し、このレールに沿って天板が移動可能であるものが挙げられる。
【００１４】
天板を第２の使用位置に配した際にレールが上方空間に露出して見栄えを損なう不具合を解消するための構成として、前記レールと前記天板との間に肘掛を配しているものが挙げられる。
【００１５】
このような椅子の組立を容易に行うようにするための具体的な構成として、前記レールと、前記天板と、これらレールと天板とを接続し前記レールに沿って走行可能なスライドアームとを備える天板走行ユニットを、椅子本体の肘掛下方の側面に設けた開口部に側方から挿入することにより取り付け可能であるものが挙げられる。
【００１６】
前段に述べたような椅子において、前記レールと前記走行部との係合箇所を側方空間から被覆するための具体的な構成として、前記スライドアームが、前記レールに摺接する走行部と、この走行部と前記天板とを接続するアーム部とを有し、前記レールの前面に前記レールと前記走行部との係合箇所を被覆する下カバー、前記レールの上部に前記レールと前記走行部との係合箇所を被覆する上カバーをそれぞれ取り付けてなるものが挙げられる。
【発明の効果】
【００１７】
本発明によれば、座、背凭れ、肘掛及び天板を備え、背凭れ全体及び肘掛の機能を常時使用可能な椅子において、種々の着座姿勢において天板が使用可能な構成を実現できる。
【図面の簡単な説明】
【００１８】
【図１】本発明の第一実施形態に係る椅子を示す正面斜視図。
【図２】同実施形態に係る椅子を示す背面斜視図。
【図３】同実施形態に係る椅子を示す平面図。
【図４】図３におけるＡ−Ａ断面図。
【図５】図３におけるＢ−Ｂ断面図。
【図６】図３における要部を拡大して示すＣ−Ｃ断面図。
【図７】同実施形態に係る天板の作動を示す作動説明図。
【図８】同実施形態に係る天板の作動を示す作動説明図。
【図９】同実施形態に係る天板の作動を示す作動説明図。
【図１０】本発明の第二実施形態に係る椅子を示す正面斜視図。
【図１１】同実施形態に係る椅子を示す平面図。
【図１２】同実施形態に係る椅子を示す側面図。
【図１３】図１１におけるＸ−Ｘ断面図。
【図１４】同実施形態に係る椅子の要部を示す平断面図。
【図１５】同実施形態に係る天板の作動を示す作動説明図。
【図１６】同実施形態に係る天板の作動を示す作動説明図。
【発明を実施するための形態】
【００１９】
本発明の第一実施形態を図１〜図９を参照しつつ以下に説明する。
【００２０】
本実施形態の椅子１は、図１〜図９に示すように、座５、脚６、背凭れ７及び肘掛８を備えてなり前方に向けて開放された椅子本体２と、この椅子本体２に支持され前記肘掛８の上方に位置する第１の使用位置Ｐ１から前記肘掛８の上方を開放して椅子本体２の前方に位置する第２の使用位置Ｐ２の間で移動可能な天板３と、椅子本体２の背凭れ７の上方に設けたヘッドレスト４とを具備する。
【００２１】
椅子本体２は、図１〜図５及び図７〜図９に示すように、座５と、この座５を支持する脚６と、この脚６の後上方に設けられた背凭れ７と、この背凭れ７の左右両端からそれぞれ前方に延出する左右に対をなす肘掛８とを備えている。ここで、脚６と、背凭れ７と、左右の肘掛８とは、前方に開放された部分筒状をなし全体が一体をなす構造体２１を形成している。また、その表面には、図示は省略するが張地を設けている。
【００２２】
座５は、図４〜図６に示すように、下端面を形成するシェル５１と、このシェル５１の上方に配してなりクッションを主体として構成した座本体５２とを利用して形成している。また、前記シェル５１の下面には、天板３を支持するための後述する天板支持アーム３１を枢着させるための天板支持部材５４と、前記天板支持アーム３１の移動方向をガイドするためのレール部材５５とを取り付けている。そして、この座５は、図示しない支持具を介して脚６に支持させている。
【００２３】
脚６は、図１、図４、図５及び図８に示すように、前方に開口した内部空間を有し部分筒状をなす。また、この脚６は、上方に向かうにつれ径が漸次小さくなる形状を有する。この脚６の下端にはキャスタ６１を備えているとともに、前記内部空間の下部にはかばん等の物品を載置可能な棚板６２を設けている。この脚６の後上方、より詳述すればこの脚６の後部の直上には、上述したように背凭れ７を設けている。
【００２４】
背凭れ７は、図１、図４、図５，図６及び図８に示すように、座５の後方、換言すれば脚６の後部の上端から後上方に延出しており、平面視部分円弧状をなしている。この背凭れ７の両側端からは、左右の肘掛８が一体をなして延出している。
【００２５】
肘掛８は、上述したように、また図１〜図５及び図７〜図９に示すように、背凭れ７の左右両端からそれぞれ前方に延出しており、平面視部分円弧状をなしている。また、この肘掛８は、脚６の上端から外上方に延出している。そして、この肘掛８の上方を、より具体的にはこの肘掛８の上縁８ａと一定の高さ距離を保ちつつ移動可能に、前記天板３が前記天板支持部材５４を介して取り付けられている。なお、この肘掛８の上縁８ａの前部には、天板３の下面に当接して天板３を支持する天板支持ローラ８１が設けられている。
【００２６】
左右の対をなす天板３は、左右の肘掛８に関連させて設けられている。すなわち、図１〜図５に示すように、第１の使用位置Ｐ１に配した左側の天板３は左側の肘掛８の上方に位置し、第１の使用位置Ｐ１に配した右側の天板３は右側の肘掛８の上方に位置する。また、左右の天板３の使用端縁３ａは、いずれも肘掛８の上縁に略沿った形状すなわち略部分円弧状をなす。また、左右の天板３の反使用端縁３ｂは、その中央部において外方に突出する滑らかな曲線状をなし、背凭れ７に近い側の端部における使用端縁３ａからの距離と比較して背凭れ７から離れた側の端部における使用端縁３ａからの距離が大きく設定されている。左右の天板３の両側端縁３ｃはそれぞれ直線状をなす板状の部材である。また、左右の天板３は、図３及び図５に示すように、その双方を第１の使用位置Ｐ１に配した際に左右対称となる形状を有する。各天板３は、前記座５の下面に配した天板支持部材５４に基端部を枢着された天板支持アーム３１の先端に取り付けられている。各天板３は、前記構造体２１の上縁、換言すれば前記肘掛８の上縁８ａに沿って、上述したように前記肘掛８の上方に位置する第１の使用位置Ｐ１から前記肘掛８の上方を開放して椅子本体２の前方に位置する第２の使用位置Ｐ２の間を水平にスライド移動可能である。左右の天板３は、それぞれ別個に移動可能である。例えば、図７に示すように、着座者から見て左側の天板３を第１の使用位置Ｐ１に配し、着座者から見て右側の天板３を第１の使用位置Ｐ１と第２の使用位置Ｐ２との間の位置に配することができる。図８及び図９に示すように、左右の天板３の双方が前記第２の使用位置Ｐ２に配された際には、これら左右の天板３の互いに向かい合う側端縁３ｃが相互に突き合い、前記椅子本体２の前方を閉塞する。
【００２７】
天板支持アーム３１は、図３〜図７及び図９に示すように、天板３の下面から下方に向けて延出している起立部３１１ａ、及び起立部３１１ａの下端から座５の下面の中心部に向けて延出している水平部３１１ｂを備えたアーム本体３１と、このアーム本体３１の基端部すなわち天板３と反対側の端部を溶接等の手段により固定しているとともに前記座５のシェル５１の下面に設けた天板支持部材５４に枢着ピン５４１を介して枢着されたブラケット３１２とを備えている。前記アーム本体３１の水平部３１１ｂは、前記脚６と前記肘掛８との境界に設けたスリット２１ａを通過している。なお、構造体２１は、このスリットを設けた高さ位置すなわち脚６と背凭れ７又は肘掛８との境界において最も外径が小さい形状を有する。また、このスリット２１ａの外方には、該スリット２１ａを被覆する帯状をなすスリットカバー２１１を配している。このスリットカバー２１１は、取付具２１２を介して前記構造体２１に支持させている。前記ブラケット３１２の枢着ピン５４１から離れた側には、転動体取付部３１２ａを起立させて設けている。この転動体取付部３１２ａの幅方向両端部には、それぞれ上下に対をなす２対の転動体３１２ｂを設けている。上下に対をなす転動体３１２ｂは、その中間に位置するレール部材５５を挟持した状態で、レール部材５５の上面又は下面をそれぞれ転動する。
【００２８】
ヘッドレスト４は、前述したように、また、図１、図２、図４、図５及び図７〜図９に示すように、背凭れ７の上方に設けられ、着座者の頭部を支持可能なヘッドレスト本体４１と、このヘッドレスト本体４１を背凭れ７に取り付けるための取付部４２とを備えている。
【００２９】
以上に述べたように、本実施形態に係る椅子１の構成によれば、天板３を第１の使用位置Ｐ１に配した場合には、着座者が側方を向く着座姿勢でこの天板３をメモ台等として使用できるとともに、この天板３が肘掛８の上方に位置しているので、この天板３を着座者の肘を載せることができる肘掛８として機能させることもできる。一方、天板３を第２の使用位置Ｐ２に配した場合には、着座者が前方を向く着座姿勢でこの天板３をメモ台等として使用できるとともに、肘掛８の上方が開放されているので、この肘掛８に着座者の肘を載せることができる。その上で、天板３が第１の使用位置Ｐ１から第２の使用位置Ｐ２の間のどの位置に配しても着座者は背凭れ７を利用することができる。従って、座５、背凭れ７、肘掛８及び天板３を備え、背凭れ７全体及び肘掛８の機能を常時使用可能な椅子１において、種々の着座姿勢において天板３が使用可能な構成を実現できる。
【００３０】
また、前記椅子本体２が左右の肘掛８を備えたものであり、前記左右の肘掛８に関連させて左右対をなす前記天板３を設けているので、一方の天板３を第１の使用位置Ｐ１に配し、他方の天板３を第２の使用位置Ｐ２に配することにより天板３を移動させることなく着座者が側方を向く着座姿勢及び正面を向く着座姿勢の両方において天板３を使用可能にする等、多様な使用態様に対応することができる。
【００３１】
さらに、前記左右の天板３が前記第２の使用位置Ｐ２において相互に突き合い前記椅子本体２の前方を閉塞するように構成されているので、左右の天板３の天板面を連続させて１つの大きな天板面として使用することも可能である。
【００３２】
さらに、前記椅子本体２が、左右の肘掛８と背凭れ７とによって前方に開放された部分筒状をなす構造体２１を形成したものであり、前記天板３がこの構造体２１の上縁に沿って水平にスライド移動し得るように構成されているので、このような椅子１の外観を整えることができる。
【００３３】
そして、前記天板３が、前記座５の下面に基端部を枢着された天板支持アーム３１の先端に取り付けられているので、この椅子１の天板３を簡単な構成で肘掛８の上縁に沿って水平にスライド移動可能に支持させる構成を実現することができる。
【００３４】
次に、本発明の第二実施形態を図１０〜図１６を参照しつつ以下に説明する。以下の説明において、上述した第一実施形態におけるものに対応する各部位には、同一の名称及び符号を付している。
【００３５】
本実施形態の椅子Ａ１は、図１０〜図１２に示すように、座５、脚６、背凭れ７及び肘掛８を備えてなり前方に向けて開放された椅子本体２と、この椅子本体２に支持され前記肘掛８の上方に位置する第１の使用位置Ｐ１から前記肘掛８の上方を開放して椅子本体２の前方に位置する第２の使用位置Ｐ２の間で移動可能な天板３と、椅子本体２の背凭れ７の上方に設けたヘッドレスト４とを具備する。
【００３６】
椅子本体２は、図１０〜図１２に示すように、座５と、この座５を支持する脚６と、この脚６の後上方に設けられた背凭れ７と、この背凭れ７の左右両端からそれぞれ前方に延出する左右に対をなす肘掛８とを備えている。ここで、脚６と、背凭れ７と、左右の肘掛８とは、前方に開放された部分筒状をなし全体が一体をなす構造体２１を形成している。また、その表面には、図示は省略するが張地を設けている。
【００３７】
座５、脚６及び背凭れ７は、前述した第一実施形態に係るものと同一の構成を有するので、詳細な説明は省略する。
【００３８】
肘掛８は、以下に述べる点を除いて前述した第一実施形態に係るものと同一の構成を有する。図１０〜図１３に示すように、この肘掛８の外側面、すなわち椅子本体２の左外側面及び右外側面の上縁部には、この肘掛８の上縁部、すなわち椅子本体２の上縁部の形状に沿って延びるレールＡ３１を収納可能であり外側方に開口する開口部８ｘを有する。一方、この肘掛８の内側面は、背凭れ７の前面と滑らかに連続して椅子本体２の内側面を形成している。換言すれば、椅子本体２の内側面は全体にわたって凹凸なく滑らかに連続している。そして、天板３は、このレールＡ３１に沿ってこの肘掛８の上方を、より具体的にはこの肘掛８の上縁８ａと一定の高さ距離を保ちつつレールＡ３１に沿って移動可能に取り付けられている。より具体的には、天板３は、前記レールＡ３１、及びこのレールＡ３１に沿って走行可能なスライドアームＡ３２を介してこの肘掛８に取り付けられている。
【００３９】
左右の対をなす天板３は、左右の肘掛８に関連させて設けられている。すなわち、図１０及び図１１に示すように、第１の使用位置Ｐ１に配した左側の天板３は左側の肘掛８の上方に位置し、第１の使用位置Ｐ１に配した右側の天板３は右側の肘掛８の上方に位置する。また、左右の天板３の使用端縁３ａは、いずれも肘掛８の上縁８ａに略沿った形状すなわち略部分円弧状をなす。また、左右の天板３の反使用端縁３ｂは、その中央部において外方に突出する滑らかな曲線状をなし、背凭れ７に近い側の端部における使用端縁３ａからの距離と比較して背凭れ７から離れた側の端部における使用端縁３ａからの距離が大きく設定されている。左右の天板３の両側端縁３ｃはそれぞれ直線状をなす板状の部材である。また、左右の天板３は、その双方を第１の使用位置Ｐ１に配した際に左右対称となる形状を有する。各天板３は、前記肘掛８の開口部内に配したレールに基端部が摺接するスライドアームの先端に取り付けられている。各天板３は、前記構造体２１の上縁、換言すれば前記肘掛８の上縁８ａに沿って、上述したように前記肘掛８の上方に位置する第１の使用位置Ｐ１から前記肘掛８の上方を開放して椅子本体２の前方に位置する第２の使用位置Ｐ２の間を水平にスライド移動可能である。左右の天板３は、それぞれ別個に移動可能である。例えば、図１５に示すように、着座者から見て左側の天板３を第１の使用位置Ｐ１に配し、着座者から見て右側の天板３を第１の使用位置Ｐ１と第２の使用位置Ｐ２との間の位置に配することができる。そして、図１６に示すように、左右の天板３の双方が前記第２の使用位置Ｐ２に配された際には、これら左右の天板３の互いに向かい合う側端縁３ｃが相互に突き合い、前記椅子本体２の前方を閉塞する。
【００４０】
前記レールＡ３１は、図１１、図１３及び図１４に示すように、肘掛８の前記開口部８ｘの下面に設けたレールベースＡ３３を介して前記開口部８ｘ内に取り付けられる。より具体的には、前記レールベースＡ３３は、平面視略円弧状の板状の部材で、その内側端の３箇所に、雌ねじ孔Ａ３３１ａを有する起立片Ａ３３１を備えている。また、このレールベースＡ３３は、本実施形態では図示しない雄ねじ部材により前記開口部８ｘの下面に固定されている。一方、前記レールＡ３１は、前記レールベースＡ３３の上面に接しスライドアームＡ３２の基端に設けた転動輪Ａ３２１を載せ置く底壁Ａ３１１と、この底壁Ａ３１１の上方に位置し全域にわたって前記底壁Ａ３１１と対向する上壁Ａ３１２とを備えている。前記上壁Ａ３１２は、幅方向中間部より外側を構成する外要素Ａ３１２ａと幅方向中間部より内側を構成する内要素Ａ３１２ｂとからなり、これら外要素Ａ３１２ａと内要素Ａ３１２ｂとの間に、前記スライドアームＡ３２の基端部を収容可能であるとともに、このスライドアームＡ３２及びこのスライドアームＡ３２に支持させた天板の進行方向をガイドするガイド溝Ａ３１２ｘを形成している。前記底壁Ａ３１１の内側端の３箇所からは、内起立片Ａ３１３を起立させて設けている。この内起立片Ａ３１３は、基端側に位置するスペーサ部Ａ３１３ａと、このスペーサ部Ａ３１３ａの起立端からさらに起立しておりレールベースＡ３３の雌ねじ孔Ａ３３１ａと重なり合うねじ挿通孔Ａ３１３ｘを備え前記上壁Ａ３１２に設けた凹部Ａ３１２ｙと係合する係合部Ａ３１３ｂとを備えている。また、前記底壁Ａ３１１の外側端からは、外起立片Ａ３１４を起立させて設けている。この外起立片Ａ３１４は、基端側に位置するスペーサ部Ａ３１４ａと、このスペーサ部Ａ３１４ａの起立端からさらに起立しており前記上壁Ａ３１２に設けた凹部Ａ３１２ｙと係合する係合部Ａ３１４ｂとを備えている。さらに、前記底壁Ａ３１１の長手方向両側縁からは、側起立片Ａ３１５を起立させて設けている。この側起立片Ａ３１５は、基端側に位置するスペーサ部Ａ３１５ａと、このスペーサ部Ａ３１５ａの起立端からさらに起立しており前記上壁Ａ３１２に設けた凹部Ａ３１２ｙと係合する係合部Ａ３１５ｂとを備えている。本実施形態では、前記内起立片Ａ３１３の係合部Ａ３１３ｂ、外起立片Ａ３１４の係合部Ａ３１４ｂ及び側起立片Ａ３１５の係合部Ａ３１５ｂと、上壁Ａ３１２の凹部Ａ３１２ｙとを係合させた状態でこれらを溶接して接合している。さらに、このレールＡ３１の外側方には、前記底壁Ａ３１１と前記上壁Ａ３１２との間の空間を被覆するための下カバーＡ３４を設けている。この下カバーＡ３４は、内側縁の６箇所に、前記外起立片Ａ３１４に設けた図示しない雌ねじ孔に重なり合うねじ挿通孔を備えた垂下片を備えている。また、この下カバーＡ３４は、前記ねじ挿通孔を通過させた雄ねじ部材を前記外起立片Ａ３１４の雌ねじ孔にねじ止めすることによりレールＡ３１に取り付けるようにしている。この下カバーＡ３４の外面には、椅子本体２の表面と同一の張地を設けている。さらに、この下カバーＡ３４の下端縁は、前記開口部８ｘの下端縁と略一致している。そして、このレールＡ３１の上壁Ａ３１２の前部の上面には、ローラ支持具Ａ３６１を介して天板３の下面に当接して天板３を支持する天板支持ローラＡ３６が設けられている。
【００４１】
前記スライドアームＡ３２は、図１１、図１３及び図１４に示すように、下端に前記レールＡ３１の底壁Ａ３１１上を走行可能な転動輪Ａ３２１ａを備えるとともに前記レールＡ３１の上壁Ａ３１２に設けたガイド溝Ａ３１２ｘを通過する走行部Ａ３２１と、この走行部Ａ３２１と天板３とを接続するアーム部Ａ３２２とを有する。前記アーム部Ａ３２２は、前記走行部Ａ３２１の上端から外方に延伸する内持出部Ａ３２３と、この内持出部Ａ３２３の突出端から下斜め外方に延伸する目隠し部Ａ３２４と、この目隠し部Ａ３２４の下端から外方に延伸する外持出部Ａ３２５と、この外持出部Ａ３２５の突出端から上方に起立し上端部に天板３を支持するための支持ブラケットＡ３２７を一体に有する起立部Ａ３２６とを備えている。ここで、前記起立部Ａ３２６及び前記目隠し部Ａ３２４の下端は、レールＡ３１の上端よりも下方に達している。また、このスライドアームＡ３２が走行範囲の後端部に達した際に天板３は第１の使用位置Ｐ１に配され、走行範囲の前端部に達した際に天板３は第２の使用位置Ｐ２に配される。すなわち、天板３とレールＡ３１との間に肘掛８の開口部８ｘより上方の部位が配される。加えて、図示は省略するが、このスライドアームＡ３２と前記アームＡ３１との間には、このスライドアームＡ３２に支持させた天板３を、前記第１の使用位置Ｐ１及び第２の使用位置Ｐ２を含む複数箇所のいずれかに保持可能な節度機構を設けている。
【００４２】
ここで、前記レールＡ３１と、前記スライドアームＡ３２と、前記天板３とは、一体的に取り扱い可能な天板走行ユニットＵを形成している。この天板走行ユニットＵは、左右１対に設けられる。より具体的には、前記レールＡ３１の底壁Ａ３１１に上壁Ａ３１２を取り付けるのに先立ち、スライドアームＡ３２の走行部Ａ３２１の転動輪Ａ３２１ａを前記レールＡ３１の底壁Ａ３１１に載せ置き、それから前記レールＡ３１の底壁Ａ３１１に上壁Ａ３１２の外要素Ａ３１２ａ及び内要素Ａ３１２ｂを取り付けて溶接し、レールＡ３１の底壁Ａ３１１の外起立片Ａ３１４に下カバーＡ３４を取り付けるとともにスライドアームＡ３２の支持ブラケットＡ３２７に天板３を取り付けて天板走行ユニットＵを形成するようにしている。そして、この天板走行ユニットＵを、肘掛８に設けた前記開口部８ｘ内に外方から挿入し、レールＡ３１の底壁Ａ３１１の内起立片Ａ３１３のねじ挿通孔Ａ３１３ｘに雄ねじ部材を挿し通した状態でこの雄ねじ部材をレールベースＡ３３の雌ねじ孔Ａ３３１ａにねじ止めすることにより天板走行ユニットＵを椅子本体２に固定するようにしている。
【００４３】
また、前記レールＡ３１の上部、より具体的には前記開口部８ｘの上面には、図１３に示すように、下斜め外方に延伸し、側方空間から前記レールＡ３１と前記走行部Ａ３２１との係合箇所を被覆する上カバーＡ３５を取り付けている。この上カバーＡ３５は、前記スライドアームＡ３２のアーム部Ａ３２２の目隠し部Ａ３２４と起立部Ａ３２６との間、換言すれば外持出部Ａ３２５の上方に位置している。この上カバーＡ３５の外面には、椅子本体２の表面と同一の張地を設けている。また、この上カバーＡ３５は、内持出部Ａ３２３の上端及び目隠し部Ａ３２４の上端よりも下方に達しているとともに、その上端縁は、前記開口部８ｘの上端縁と略一致している。
【００４４】
ヘッドレスト４は、前述した第一実施形態に係るものと同一の構成を有するので、詳細な説明は省略する。
【００４５】
以上に述べたように、本実施形態に係る椅子の構成によっても、天板３を第１の使用位置Ｐ１に配した場合には、着座者が側方を向く着座姿勢でこの天板３をメモ台等として使用できるとともに、この天板３が肘掛８の上方に位置しているので、この天板３を着座者の肘を載せることができる肘掛８として機能させることもできる。一方、天板３を第２の使用位置Ｐ２に配した場合には、着座者が前方を向く着座姿勢でこの天板３をメモ台等として使用できるとともに、肘掛８の上方が開放されているので、この肘掛８に着座者の肘を載せることができる。その上で、天板３が第１の使用位置Ｐ１から第２の使用位置Ｐ２の間のどの位置に配しても着座者は背凭れ７を利用することができる。従って、座５、背凭れ７、肘掛８及び天板３を備え、背凭れ７全体及び肘掛８の機能を常時使用可能な椅子１において、種々の着座姿勢において天板３が使用可能な構成を実現できる。
【００４６】
加えて、本実施形態の構成では、椅子本体２の上縁部の形状に沿って延びるレールＡ３１を有し、このレールＡ３１に沿って天板３が移動可能であるので、このような椅子の天板を簡単な構成で椅子本体に移動可能に支持させるようにするとともに、このような椅子の組立の容易化を図ることができる。
【００４７】
また、前記レールＡ３１と前記天板３との間に肘掛８を配しているので、天板を第２の使用位置Ｐ２に配した際にレールＡ３１が上方空間に露出して見栄えを損なう不具合を解消することができる。
【００４８】
さらに、前記レールＡ３１と、前記天板３と、これらレールＡ３１と天板３とを接続し前記レールＡ３１に沿って走行可能なスライドアームＡ３２とを備える天板走行ユニットＵを、椅子本体２の肘掛８下方の側面に設けた開口部８ｘに側方から挿入することにより取り付け可能にしているので、このような椅子の組立を容易に行うことができる。
【００４９】
そして、前記スライドアームＡ３２が、前記レールＡ３１に摺接する走行部Ａ３２１と、この走行部Ａ３２１と前記天板Ａ３とを接続するアーム部Ａ３２２とを有し、前記レールＡ３１の前面に前記レールＡ３１と前記走行部Ａ３２１との係合箇所を被覆する下カバーＡ３４、前記レールＡ３１の上部に前記レールＡ３１と前記走行部Ａ３２１との係合箇所を被覆する上カバーＡ３５をそれぞれ取り付けてなるので、前記レールＡ３１と前記走行部Ａ３２１との係合箇所を側方空間から被覆することができる。
【００５０】
なお、本発明は以上に述べた実施形態に限らない。
【００５１】
例えば、脚、背凭れ及び肘掛のそれぞれを別体に構成した椅子に本発明を適用してもよく、また、脚、背凭れ及び肘掛のうちのいずれか２つだけを一体に構成した椅子に本発明を適用してもよい。
【００５２】
また、左右いずれか一方にのみ肘掛を有する椅子や、左右に対をなす肘掛を有し、一方の肘掛にのみ関連させて１つの天板のみを設けた椅子において、肘掛の上方に位置する第１の使用位置から肘掛の上方を開放して椅子本体の前方に位置する第２の使用位置の間で移動可能な天板を設けた構成によっても、本発明と類似の効果を得ることができる。
【００５３】
さらに、肘掛の上方を天板がスライド移動可能な構成として、上述した実施形態に係るもの以外に、例えば、天板を先端部で支持する天板支持アームの基端部に設けたガイド突起と、このガイド突起をスライド可能に係合させることが可能に脚の上端部又は肘掛の側面に設けたガイド溝とを係合させてなるガイド部を利用したものが挙げられる。また、このようなガイド部において、ガイド突起をガイド溝に係合させる代わりに、天板支持アームの基端部に設けた転動体がガイド溝内を転動可能な構成を採用してもよい。
【００５４】
さらに、前記第二実施形態におけるレールベースとレールとの間に、レールを外側方から内側方に向けて移動可能に案内しつつレールと係合するレール取付案内部を設けてもよい。このレール取付案内部は、例えば、図示は省略するが、レールベースから起立させて設けられ、起立端に幅寸法を拡開させて設けた抜け止め部を有する案内突起と、レールに設けられ、前記案内突起の抜け止め部と略隙間なく係合可能な挿入部、及びこの該挿入部から外方に延伸し前記挿入部よりも幅寸法が小さく開口端が前記案内突起の基部と摺接可能である案内部を備えた案内凹部とを利用して形成している。このように構成すれば、天板が上方から作用を受け、スライドアームの基端側の転動輪がレールの上壁に衝き当たってレールが上方に向かう作用を受けた際に、前記抜け止め部が前記案内部の側方に衝き当たるので、レールを含む天板走行ユニットをがたなくより安定して椅子本体に保持させることができる。
【００５５】
加えて、前記第二実施形態におけるスライドアームとレール又は椅子本体との間に、前述した節度機構に代えて、スライドアーム及び該スライドアームに支持させた天板の移動を規制するためのロック機構を設けてもよい。このロック機構は、天板を所定の位置、例えば第１の使用位置や第２の使用位置にのみ固定するもの、及び天板を任意の位置に保持可能なもののいずれを採用してもよい。
【００５６】
また、上述した第二実施形態では、レールと天板との間に肘掛を配しているが、例えば、レールの上面に切欠き部を設け、この切欠き部の底面にレールを配する態様を採用してもよい。
【００５７】
さらに、上述した第二実施形態では、前記レールと、前記天板と、これらレールと天板とを接続し前記レールに沿って走行可能なスライドアームとを備える天板走行ユニットを、椅子本体の肘掛下方の外側面に設けた開口部に外側方から挿入することにより取り付け可能にしているが、開口部を椅子本体の肘掛下方の内側面に設け、天板走行ユニットを内側方から挿入することにより取り付け可能にしてもよい。また、前段で述べたような肘掛の切欠き部の底面にレールを配する態様の場合、予めレールを椅子本体に固定しておき、スライドアームを上方から切欠き部に挿入する態様を採用してもよい。
【００５８】
加えて、スライドアームのアーム部の形状は、上述した第二実施形態に係るものに限らず、例えば、走行部から外方に延伸する持出部及びこの持出部の突出端から上方に起立し上端部に天板を支持するための支持ブラケットを一体に有する起立部のみを有する構成を採用してもよい。
【００５９】
そして、前記第二実施形態におけるレールの長手方向一端部又は両端部に、ボールサスペンション機構を設けてもよい。
【００６０】
その他、本発明の趣旨を損ねない範囲で種々に変形してよい。
【符号の説明】
【００６１】
１…椅子
２…椅子本体
３…天板
３１…天板支持アーム
Ａ３１…レール
Ａ３２…スライドアーム
Ａ３２１…走行部
Ａ３２２…アーム部
Ａ３４…下カバー
Ａ３５…上カバー
５…座
７…背凭れ
８…肘掛
Ｐ１…第１の使用位置
Ｐ２…第２の使用位置
【図１】
0005935398.tif 000002
【図２】
0005935398.tif 000003
【図３】
0005935398.tif 000004
【図４】
0005935398.tif 000005
【図５】
0005935398.tif 000006
【図６】
0005935398.tif 000007
【図７】
0005935398.tif 000008
【図８】
0005935398.tif 000009
【図９】
0005935398.tif 000010
【図１０】
0005935398.tif 000011
【図１１】
0005935398.tif 000012
【図１２】
0005935398.tif 000013
【図１３】
0005935398.tif 000014
【図１４】
0005935398.tif 000015
【図１５】
0005935398.tif 000016
【図１６】
0005935398.tif 000017